(57)【要約】【課題】読み取り原稿をスキャナで読み取るときに正確に該当する画像に対して実行する処理を選択して、作業性の効率化を図ることができる画像形成装置等を提供する。【解決手段】画像形成装置（１００）において、原稿を読み取り、画像として出力する原稿読取部（１１０）と、原稿読取部（１１０）において原稿を読み取る領域に応じて画像に対して実行する処理を選択する処理選択部（１９０）と、前記画像に処理選択部（１９０）により選択された処理を実行する制御を行う制御部（１８０）と、を備えたことを特徴とする。【選択図】図１
2020065193.tif 000002
【特許請求の範囲】
【請求項１】
原稿を読み取り、画像として出力する原稿読取部と、
前記原稿読取部において、前記原稿を読み取る領域に応じて、前記画像に対して実行する処理を選択する処理選択部と、
前記画像に前記処理選択部により選択された処理を実行する制御を行う制御部と、
を備えたことを特徴とする画像形成装置。
【請求項２】
前記制御部は、前記原稿の読み取る領域に応じて、当該原稿のフォーマットに対応した読み取り処理を行うことを特徴とする請求項１に記載の画像形成装置。
【請求項３】
前記制御部は、前記原稿の読み取る領域に応じて、当該原稿の言語に対応した読み取り処理を行うことを特徴とする請求項１に記載の画像形成装置。
【請求項４】
前記制御部は、前記原稿の読み取る領域に応じて、当該原稿の画像データのファイル名の命名規則を設定することを特徴とする請求項１に記載の画像形成装置。
【請求項５】
前記制御部は、前記原稿の読み取る領域に応じて、当該原稿の画像データのファイル形式を設定することを特徴とする請求項１に記載の画像形成装置。
【請求項６】
前記制御部は、前記原稿の読み取る領域に応じて、当該原稿の画像データの保存先を設定することを特徴とする請求項１に記載の画像形成装置。
【請求項７】
前記制御部は、前記原稿の読み取る領域に応じて、当該原稿の画像データの送信先を設定することを特徴とする請求項１に記載の画像形成装置。
【請求項８】
前記制御部は、前記原稿の読み取る領域に応じて、当該原稿の出力方式を設定することを特徴とする請求項１に記載の画像形成装置。
【請求項９】
前記原稿読取部は、前記原稿を載置する原稿載置台を備え、前記原稿載置台に載置された原稿を読み取ることを特徴とする請求項１に記載の画像形成装置。
【請求項１０】
前記原稿読取部は、前記原稿を自動で給紙する自動原稿給紙装置を備え、前記自動原稿給紙装置により搬送された原稿を読み取ることを特徴とする請求項１に記載の画像形成装置。
【請求項１１】
前記処理選択部は、前記原稿を読み取る方式に応じて、当該原稿の出力方式を設定することを特徴とする請求項９または１０に記載の画像形成装置。
【請求項１２】
原稿を読み取る工程と、
前記原稿を画像として出力する工程と、
前記原稿を読み取る工程において、前記原稿を読み取る領域に応じて、前記画像に対して実行する処理を選択する工程と、
前記画像に前記実行する処理を選択する工程により選択された処理を実行する制御を行う工程と、
を備えたことを特徴とする読み取り画像処理方法。
【請求項１３】
原稿を読み取る機能と、
前記原稿を画像として出力する機能と、
前記原稿を読み取る際に、前記原稿を読み取る領域に応じて、前記画像に対して実行する処理を選択する機能と、
前記画像に前記実行する処理を選択する機能により選択された処理を実行する制御を行う機能と、
をコンピュータに実現させるための読み取り画像処理プログラム。
【発明の詳細な説明】
【技術分野】
【０００１】
本発明は、画像形成装置等に係り、特に、原稿を読み取る読取部を備えた画像形成装置等に関する。
【背景技術】
【０００２】
従来、スキャナで読み取られた領収書や請求書等の帳票のスキャン画像に対して、レイアウト解析、文字認識等を行い、予め設定されたフォーマットに一致した場合に、自動的に所定の文字列等を抽出して保存する技術が知られている。
【０００３】
例えば、従来技術においては、文書データ管理装置において、画像読取装置にて読み取られて電子化された文書データを取得する。そして、レイアウト解析により文章データが所定のフォーマットを有する画像である場合に、レイアウト解析により抽出されるオブジェクトの文字列と、オブジェクトの種類に応じた所定のフォーマットとに基づいて、画像読取装置における画像読み取り処理の信頼度を自動的に判定する。そして、信頼度が所定の閾値よりも低い文書データについては、文書データの保存を禁止するようにしたものが開示されている（特許文献１を参照。）。
【先行技術文献】
【特許文献】
【０００４】
【特許文献１】特許第５００５５５４号（特開２００８-１８６４５１号公報）
【発明の概要】
【発明が解決しようとする課題】
【０００５】
しかしながら、特許文献１にて提案されている技術では、似たフォーマットの帳票が複数種存在する場合はフォーマットの自動判別精度が悪くなる場合がある。また、フォーマットを自動判別せずに、手動によりタッチパネル等で該当するフォーマットを選択するようにすると、複数種類の帳票をスキャナで読み取る場合に手間が掛かるという問題がある。
【０００６】
本発明は、上記従来の課題に鑑みてなされたものであり、帳票等の読み取り原稿をスキャナで読み取るときに、該当する画像に対して実行する処理を正確に選択して、作業性の効率化を図ることができる画像形成装置等を提供することを目的とする。
【課題を解決するための手段】
【０００７】
本発明は、画像形成装置であって、原稿を読み取り、画像として出力する原稿読取部と、前記原稿読取部において、前記原稿を読み取る領域に応じて、前記画像に対して実行する処理を選択する処理選択部と、前記画像に前記処理選択部により選択された処理を実行する制御を行う制御部と、を備えたことを特徴とするものである。
【０００８】
また、本発明は、画像処理方法であって、原稿を読み取る工程と、前記原稿を画像として出力する工程と、前記原稿を読み取る工程において、前記原稿を読み取る領域に応じて、前記画像に対して実行する処理を選択する工程と、前記画像に前記実行する処理を選択する工程により選択された処理を実行する制御を行う工程と、を備えたことを特徴とするものである。
【０００９】
また、本発明は、画像処理プログラムであって、原稿を読み取る機能と、前記原稿を画像として出力する機能と、前記原稿を読み取る際に、前記原稿を読み取る領域に応じて、前記画像に対して実行する処理を選択する機能と、前記画像に前記実行する処理を選択する機能により選択された処理を実行する制御を行う機能と、をコンピュータに実現させることを特徴するものである。
【発明の効果】
【００１０】
本発明の画像形成装置等によれば、原稿を読み取り、画像として出力する原稿読取部において、原稿を読み取る領域に応じて、画像に対して実行する処理を選択する処理選択部と、画像に処理選択部により選択された処理を実行する制御を行う制御部と、を備えたことで、原稿から読み取った画像に対して実行する処理をユーザが選択することなく、原稿を読み取る領域に応じて、該当する画像に対して実行する処理を正確に選択して、作業性の効率化を図ることができる画像形成装置等を提供することができる。
【図面の簡単な説明】
【００１１】
【図１】第１実施形態に係る画像形成装置の主要部の構成を示すブロック図である。
【図２】前記画像形成装置の全体構成を示す説明図である。
【図３】前記画像形成装置における原稿読取部による原稿の読み取り処理の一例を示すフローチャートである。
【図４】前記画像形成装置において複数の原稿のフォーマットに対応した原稿読取部の構成の一例を示す実施例１の説明図である。
【図５】（ａ）（ｂ）は前記画像形成装置の原稿読取部で読み取る原稿の情報を抽出する一例を示す説明図である。
【図６】前記画像形成装置において異なる言語による複数の原稿に対応した原稿載置台の構成の一例を示す実施例２の説明図である。
【図７】前記画像形成装置において原稿を読み取る領域に応じて、当該原稿の画像データのファイル名の命名規則を設定するようにした原稿載置台の構成の一例を示す実施例３の説明図である。
【図８】前記画像形成装置において原稿を読み取る領域に応じて、当該原稿の画像データのファイル形式を設定するようにした原稿載置台の構成の一例を示す実施例４の説明図である。
【図９】第２実施形態に係る画像形成装置において出力方式に対応した原稿読取部の構成の一例を示す説明図である。
【図１０】前記画像形成装置において原稿読取領域に応じて出力方式を設定する処理の一例を示すフローチャートである。
【図１１】第３実施形態に係る画像形成装置において読み取り方式に応じて出力方式を設定する処理の一例を示すフローチャートである。
【発明を実施するための形態】
【００１２】
（第１実施形態）
以下、本発明の第１実施形態について図面を参照して説明する。
図１は第１実施形態に係る画像形成装置の主要部の構成を示すブロック図、図２は前記画像形成装置の全体構成を示す説明図である。
【００１３】
第１実施形態は、図１に示すように、画像形成装置１００の構成として、主に、原稿読取部１１０と、自動原稿給紙装置１１２と、操作ユニット１２０と、記憶部１５０と、通信部１６０と、画像形成部１７０と、当該画像形成装置１００の各部の処理動作を制御する制御部１８０と、を備え、さらに、処理選択部１９０を備えることを特徴とするものである。
【００１４】
（画像形成装置の構成）
ここで、第１実施形態に係る画像形成装置１００の基本的な構成について説明する。
本発明に係る構成の適用は、このような画像形成装置以外の画像処理装置または電子機器であっても構わない。
【００１５】
画像形成装置１００は、電子写真方式により記録用紙に画像を形成する。
また、画像形成装置１００は、動作モードとして、コピーモード、ファクシミリモード（ＦＡＸモード）、ドキュメントファイリングモード（読み取った画像を画像形成装置内部の記憶装置に記憶するモード）およびメールモード（読み取った画像を電子メールに添付する形式で送信するモード）を備える。
【００１６】
画像形成装置１００は、図２に示すように、主に、原稿読取部１１０、画像形成部１７０、給紙部１０６、排紙処理装置１０８、操作ユニット１２０等を備える。
【００１７】
原稿読取部１１０は、画像形成装置本体上部に搭載されている。原稿読取部１１０は、読み取る原稿を１枚ずつ載置する原稿載置台（例えば、ドキュメントガラス）１１１を備える。原稿読取部１１０の上部には、自動原稿給紙装置１１２が設けられている。
【００１８】
自動原稿給紙装置１１２は、１または複数の原稿が載置されて、原稿を１枚ずつ原稿読取部１１０に給紙するように構成されている。
【００１９】
操作ユニット１２０は、表示部１３０と表示操作部１４０とで構成される。表示部１３０は、液晶パネル等で構成された表示パネル１３２とタッチパネル１３４とで構成される。
【００２０】
表示パネル１３２のプレビュー表示領域上には、ソフトウェアボタンである選択ボタンが表示されている。この選択ボタンの表示されている領域を指で押すと、タッチパネル１３４がその押された位置を検出する。プログラム上で、選択ボタンの表示位置とタッチパネル１３４が押された位置とを照合することにより、画像形成装置１００の動作モード選択、機能設定および動作指示等が行なわれる。この画像形成装置１００はこのようなタッチ操作に加えて、上述したジェスチャー操作にも対応している。
【００２１】
表示操作部１４０は、表示灯１４２と、電源キー１４４と、省エネルギーキー（以下「省エネキー」と記載）１４６と、動作モードを選択するホーム画面へ表示部１３０の表示画面を戻すためのホームキー１４８とで構成される。
【００２２】
このように画像形成装置１００は、主たる操作デバイスとして表示部１３０を備えるとともに、ハードウェアキーおよび表示灯により構成される表示操作部１４０を備える。表示操作部１４０のキーは、表示部１３０により構成されるソフトウェアボタンと対比して、ハードウェアボタンとして構成される。
【００２３】
なお、画像形成装置１００は、このような構成の表示操作部１４０を備えるものに限定されず、表示部１３０のみを備えるものであってもよい。表示部１３０に表示されたホーム画面においてユーザが動作モードを選択すると、選択された動作モードにおける初期画面に切り換わるものであれば構わない。
【００２４】
記憶部１５０には、原稿読取部１１０で読み取った原稿の画像データが記憶される。また、記憶部１５０には、画像形成装置１００の動作を制御するのに必要なプログラムおよびデータ等が記憶されている。
【００２５】
通信部１６０は、画像形成装置１００が外部機器と通信を行うための機能部である。
画像形成部１７０は、画像データに基づく出力データを記録媒体（例えば、記録用紙）に形成するための機能部である。例えば電子写真方式を利用したレーザプリンタ等により構成されている。
【００２６】
制御部１８０は、記憶部１５０に格納されているプログラムおよびデータに従って画像形成装置１００の制御を行なうとともに画像形成装置１００の各機能に関する制御を実行する。
【００２７】
（画像形成装置の特徴的な構成）
次に、第１実施形態に係る画像形成装置１００の特徴的な構成について図面を参照して説明する。
第１実施形態に係る画像形成装置１００は、図１に示すように、上述した原稿読取部１１０、操作ユニット１２０、記憶部１５０、通信部１６０、画像形成部１７０および制御部１８０という構成に加えて、さらに、処理選択部１９０を備えることを特徴としている。
【００２８】
原稿読取部１１０は、複数の原稿を読み取る領域（以下、「原稿読取領域」と称する。）が設けられている。第１実施形態では、原稿読取部１１０を構成する原稿載置台１１１上の原稿読取領域に複数の原稿読取領域が設けられている。
【００２９】
原稿読取部１１０は、複数の原稿読取領域に応じて、その原稿読取領域で読み取った画像に対して実行する処理が予め設定されている。
【００３０】
具体的には、原稿読取部１１０は、原稿載置台１１１上の原稿読取領域おいて、原稿の位置、原稿の向き（縦置き／横置き）、原稿の種類等によって、原稿から読み取った画像の処理や、画像形成装置１００の動作条件等を変更するようにされている。
【００３１】
処理選択部１９０は、複数の原稿読取領域に応じて、その原稿読取領域で読み取った画像に対して予め設定されている処理を選択する。
【００３２】
制御部１８０は、画像形成装置１００の各機能に関する制御に加えて、さらに、処理選択部１９０により選択された処理を実行するようにされている。
【００３３】
（原稿の読み取り処理）
次に、第１実施形態の画像形成装置１００における原稿読取部１１０による特徴的な原稿の読み取り処理についてフローチャートに沿って説明する。
【００３４】
図３は第１実施形態の画像形成装置における原稿読取部による原稿の読み取り処理の一例を示すフローチャートである。
【００３５】
画像形成装置１００において、原稿読取部１１０により原稿を読み取る場合は、図３に示すように、まず、原稿を原稿載置台１１１に載置する（ステップＳ１０１）。原稿は複数あり、複数の原稿は、それぞれの原稿に対応して予め設定された複数の原稿読取領域に配置される。
【００３６】
そして、原稿読取部１１０において、複数の原稿をそれぞれ原稿読取領域で読み取る（ステップＳ１０３）。そして、処理選択部１９０において、原稿読取領域に応じて読み取られた原稿の画像データに対して実行する処理を選択する（ステップＳ１０５）。
【００３７】
そして、制御部１８０により、読み取られたそれぞれの画像に対して選択した処理を実行する（ステップＳ１０７）。このようにして、原稿の読み取り処理が行われる。
【００３８】
（実施例１）
実施例１は、原稿載置台１１１の原稿読取領域において、原稿を読み取る領域に応じて、読み取る原稿のフォーマットに対応して複数の原稿の読み取りを可能にしたものである。
図４は第１実施形態に係る画像形成装置において複数の原稿のフォーマットに対応した原稿読取部の構成の一例を示す実施例１の説明図である。
【００３９】
実施例１では、原稿読取部１１０は、原稿を読み取る領域に応じて、読み取る原稿として、例えば、帳票Ａ、帳票Ｂ、帳票Ｃ、帳票Ｄの４種類の異なるフォーマットの帳票に対応している。
【００４０】
原稿読取部１１０を構成する原稿載置台１１１には、図４に示すように、載置された原稿を読み取る原稿読取領域１１１０と、自動給紙読取領域１１１０ａが設けられている。
【００４１】
原稿読取領域１１１０は、第１原稿読取領域１１１１、第２原稿読取領域１１１２、第３原稿読取領域１１１３、第４原稿読取領域１１１４が設けられている。
【００４２】
なお、自動給紙読取領域１１１０ａは、原稿載置台１１１とは別体で設けられもよい。
自動給紙読取領域１１１０ａは、自動原稿給紙装置１１２から搬送される原稿の読み取り処理に対応する。
【００４３】
第１原稿読取領域１１１１、第２原稿読取領域１１１２、第３原稿読取領域１１１３、第４原稿読取領域１１１４は、それぞれ異なる原稿のフォーマットに対応する。
【００４４】
実施例１では、処理選択部１９０は、それぞれの原稿読取領域に応じて、載置された原稿のフォーマットに対応した読み取り処理を行う。
【００４５】
第１原稿読取領域１１１１では、帳票Ａのフォーマットに対応して読み取り処理が行われる。
第２原稿読取領域１１１２では、帳票Ｂのフォーマットに対応して読み取り処理が行われる。
第３原稿読取領域１１１３では、帳票Ｃのフォーマットに対応して読み取り処理が行われる。
第４原稿読取領域１１１４では、帳票Ｄのフォーマットに対応して読み取り処理が行われる。
【００４６】
ここで、実施例１の原稿読取部１１０において、原稿載置台１１１の原稿読取領域で読み取られた帳票内の情報を抽出する一例を説明する。
図５（ａ）、（ｂ）は第１実施形態に係る画像形成装置の原稿読取部で読み取る原稿の情報を抽出する一例を示す説明図である。
【００４７】
帳票内の画像において、どの位置の情報をどのように抽出するかは、予め帳票の種類毎にレイアウト及び文字認識を行い、その結果に基づいて、帳票の種類毎に抽出する項目、文字列等を設定する。ここでは、帳票Ａと帳票Ｂを例に挙げて説明する。
【００４８】
帳票Ａでは、図５（ａ）に示すように、読み取る画像を第１の画像１１１Ａ１とすると、第１の画像１１１Ａ１から抽出した情報による画像は、４列の文字列の表から５列の文字列の表とした第２の画像１１１Ａ２としている。
【００４９】
帳票Ｂでは、図５（ｂ）に示すように、読み取る画像を第１の画像１１１Ｂ１とすると、第１の画像１１１Ｂ１から抽出した情報による画像は、３列の文字列を抽出して３列の文字列を含む表とした第２の画像１１１Ｂ２としている。
【００５０】
このように、実施例１では、１度の原稿の読み取り処理により４種類の異なるフォーマットの帳票を読み取ることができる。
【００５１】
なお、実施例１では、４分割した原稿読取領域で４種類の異なるフォーマットの帳票を読み取るようにしているが、原稿読取領域の数や読み取る帳票の種類はこれに限定するものではない。
【００５２】
（実施例２）
実施例２は、原稿載置台１１１の原稿読取領域において、原稿を読み取る領域に応じて、読み取る原稿の言語に対応して異なる言語による複数の原稿の読み取りを可能にしたものである。
図６は第１実施形態に係る画像形成装置において異なる言語による複数の原稿に対応した原稿載置台の構成の一例を示す実施例２の説明図である。
【００５３】
実施例２では、原稿読取部１１０は、原稿を読み取る領域に応じて、読み取る原稿として、例えば、日本語、中国語、英語、独語の４種類の異なる言語の原稿に対応するようにしている。
【００５４】
原稿読取部１１０を構成する原稿載置台１１１には、図６に示すように、載置された原稿を読み取る原稿読取領域１１２０と、自動給紙読取領域１１１０ａが設けられている。
【００５５】
原稿読取領域１１２０は、第１原稿読取領域１１２１、第２原稿読取領域１１２２、第３原稿読取領域１１２３、第４原稿読取領域１１２４が設けられている。
【００５６】
第１原稿読取領域１１２１、第２原稿読取領域１１２２、第３原稿読取領域１１２３、第４原稿読取領域１１２４は、それぞれ異なる言語の原稿に対応する。
【００５７】
実施例２では、処理選択部１９０は、それぞれの原稿読取領域に応じて、ＯＣＲ（optical character reader）の言語設定を変えて、載置された原稿の言語に対応した読み取り処理を行う。
【００５８】
第１原稿読取領域１１２１では、日本語の原稿に対応して読み取り処理が行われる。
第２原稿読取領域１１２２では、中国語の原稿に対応して読み取り処理が行われる。
第３原稿読取領域１１２３では、英語の原稿に対応して読み取り処理が行われる。
第４原稿読取領域１１２４では、独語の原稿に対応して読み取り処理が行われる。
【００５９】
このように、実施例２では、１度の原稿の読み取り処理により４種類の異なる言語の原稿を読み取ることができる。
【００６０】
なお、実施例２では、４分割した原稿読取領域で４種類の異なる言語の原稿を読み取るようにしているが、原稿読取領域の数や読み取る原稿の言語の種類はこれに限定するものではない。
【００６１】
（実施例３）
実施例３は、原稿載置台１１１の原稿読取領域において、原稿を読み取る領域に応じて、当該原稿の画像データのファイル名の命名規則を設定するようにしたものである。
図７は第１実施形態に係る画像形成装置において原稿を読み取る領域に応じて、当該原稿の画像データのファイル名の命名規則を設定するようにした原稿載置台の構成の一例を示す実施例３の説明図である。
【００６２】
実施例３では、原稿読取部１１０は、原稿を読み取る領域に応じて、読み取った原稿の画像データのファイル名として、例えば、（日付＋通し番号）、（日付＋○○伝票＋通し番号）、（日付＋○○領収書＋通し番号）、（日付＋○○請求書＋通し番号）の４種類の異なるファイル名を付けるようにしている。
【００６３】
原稿読取部１１０を構成する原稿載置台１１１には、図７に示すように、載置された原稿を読み取る原稿読取領域１１３０と、自動給紙読取領域１１１０ａが設けられている。
【００６４】
原稿読取領域１１３０は、第１原稿読取領域１１３１、第２原稿読取領域１１３２、第３原稿読取領域１１３３、第４原稿読取領域１１３４が設けられている。
【００６５】
第１原稿読取領域１１３１、第２原稿読取領域１１３２、第３原稿読取領域１１３３、第４原稿読取領域１１３４は、読み取った画像に対してそれぞれ異なるファイル名を付するようにされている。
【００６６】
実施例３では、処理選択部１９０は、それぞれの原稿読取領域に応じて、予め設定された命名規則によって異なるファイル名を画像に付する処理を行う。
【００６７】
第１原稿読取領域１１３１では、（日付＋通し番号）をファイル名とする命名規則によりファイル名を設定する処理が行われる。
第２原稿読取領域１１３２では、（日付＋○○伝票＋通し番号）をファイル名とする命名規則によりファイル名を設定する処理が行われる。
第３原稿読取領域１１３３では、（日付＋○○領収書＋通し番号）をファイル名とする命名規則によりファイル名を設定する処理が行われる。
第４原稿読取領域１１３４では、（日付＋○○請求書＋通し番号）をファイル名とする命名規則によりファイル名を設定する処理が行われる。
【００６８】
このように、実施例３では、原稿読取領域に応じて、読み取った画像に対して異なる命名規則によってファイル名を設定することができる。
【００６９】
なお、実施例３では、４分割した原稿読取領域で４種類の異なる命名規則によってファイル名を設定するようにしているが、原稿読取領域の数や命名規則の方式はこれに限定するものではない。
【００７０】
（実施例４）
実施例４は、原稿載置台１１１の原稿読取領域において、原稿を読み取る領域に応じて、当該原稿の画像データのファイル形式を設定するようにしたものである。
図８は第１実施形態に係る画像形成装置において原稿を読み取る領域に応じて、当該原稿の画像データのファイル形式を設定するようにした原稿載置台の構成の一例を示す実施例４の説明図である。
【００７１】
実施例４では、原稿読取部１１０は、原稿を読み取る領域に応じて、読み取った原稿の画像データのファイル形式として、例えば、ＰＤＦ形式、ＪＰＥＧ形式、ＸＬＳＸ形式、ＴＩＦＦ形式の４種類の異なるファイル形式に設定するようにしている。
【００７２】
原稿読取部１１０を構成する原稿載置台１１１には、図８に示すように、載置された原稿を読み取る原稿読取領域１１４０と、自動給紙読取領域１１１０ａが設けられている。
【００７３】
原稿読取領域１１４０は、第１原稿読取領域１１４１、第２原稿読取領域１１４２、第３原稿読取領域１１４３、第４原稿読取領域１１４４が設けられている。
【００７４】
第１原稿読取領域１１４１、第２原稿読取領域１１４２、第３原稿読取領域１１４３、第４原稿読取領域１１４４は、読み取った画像に対してそれぞれ異なるファイル形式に設定するようにされている。
【００７５】
実施例４では、処理選択部１９０は、それぞれの原稿読取領域に応じて、読み取った画像に対して予め設定された異なるファイル形式に設定する処理を行う。
【００７６】
第１原稿読取領域１１４１では、ファイル形式をＰＤＦ形式に設定する処理が行われる。
第２原稿読取領域１１４２では、ファイル形式をＪＰＥＧ形式に設定する処理が行われる。
第３原稿読取領域１１４３では、ファイル形式をＸＬＳＸ形式に設定する処理が行われる。
第４原稿読取領域１１４４では、ファイル形式をＴＩＦＦ形式に設定する処理が行われる。
【００７７】
このように、実施例４では、原稿読取領域に応じて、読み取った画像に対して異なるファイル形式に設定することができる。
【００７８】
なお、実施例４では、４分割した原稿読取領域で読み取った画像に対して４種類の異なるファイル形式に設定するようにしているが、原稿読取領域の数やファイル形式の種類はこれに限定するものではない。
【００７９】
（実施例５）
実施例５は、原稿載置台１１１の原稿読取領域において、原稿を読み取る領域に応じて、当該原稿の画像データの保存先を設定するようにしたものである。
画像データの保存先は、例えば、画像形成装置１００の記憶部１５０に設定したファイルフォルダとしてもよい。また、画像データの保存先は、外部サーバとしてもよい。
【００８０】
（実施例６）
実施例６は、原稿載置台１１１の原稿読取領域において、原稿の読み取る領域に応じて、当該原稿の画像データの送信先を設定するようにしたものである。
画像データの送信先は、例えば、予め設定されたメールアドレス、指定されたメールアドレス、ＦＴＰ（File Transfer Protocol）等にしてもよい。また、画像データの送信先は、外部サーバとしてもよい。
【００８１】
以上のように構成したので、第１実施形態によれば、画像形成装置１００において、原稿読取部１１０と、処理選択部１９０と、制御部１８０とを備え、処理選択部１９０により、原稿読取部１１０による原稿を読み取る領域に応じて、読み取った画像に対して実行する処理を選択し、制御部１８０により、処理選択部１９０によって選択された画像に処理を実行する制御を行うようにしたことで、ユーザが画像に対して実行する処理を選択することなく、原稿を読み取る領域に応じて該当する実行する処理を正確に選択でき、作業性の効率化を図ることができる。
【００８２】
例えば、原稿読取部１１０において原稿を読み取る際に、予め原稿を読み取る領域に応じて原稿から読み取った画像に対して実行する処理を設定しておき、処理選択部１９０により、原稿を読み取る領域に応じて画像に対して実行する処理を選択するようにすることで、原稿から読み取った画像に対して実行する処理をユーザが選択することなく、原稿を読み取る領域に応じて、該当する画像に対して実行する処理を正確に選択して、作業性の効率化を図ることができる。
【００８３】
（第２実施形態）
次に、第２実施形態について図面を参照して説明する。
第２実施形態は、第１実施形態に係る画像形成装置１００における処理選択部の機能として、原稿読取部における原稿の読み取る領域に応じて、当該原稿の出力方式を設定することを特徴とするものである。
【００８４】
図９は第２実施形態に係る画像形成装置において出力方式に対応した原稿読取部の構成の一例を示す説明図、図１０は前記画像形成装置において原稿読取領域に応じて出力方式を設定する処理の一例を示すフローチャートである。
なお、説明の便宜上、第１実施形態と同一の機能を有する構成には、同一の番号を付して説明を省略する。
【００８５】
第２実施形態では、図９に示すように、画像形成装置１００の原稿載置台１１１の原稿読取領域２１１０には、コピー専用領域２１１１と送信専用領域２１１２とが設けられている。
【００８６】
処理選択部１９０は、原稿をコピー専用領域２１１１で読み取った場合は、読み取った画像のコピー処理が行われる。また、処理選択部１９０は、原稿を送信専用領域２１１２で読み取った場合は、読み取った画像を記憶部１５０に送信する処理が行われる。
【００８７】
なお、画像を読み取る領域に応じて実行される出力方式について、どちらの領域をどの出力方式（例えば、コピー処理、送信処理、保存する処理、ファクス処理等）を実行するようにするかは適宜設定・変更が可能である。
【００８８】
（原稿の読み取り処理）
次に、第２実施形態の画像形成装置１００おいて原稿読取部１１０における原稿の読み取る領域に応じて出力方式を設定する処理についてフローチャートに沿って説明する。
【００８９】
図１０は第２実施形態に係る画像形成装置の原稿読取部における原稿の読み取る領域に応じて出力方式を設定する処理の一例を示すフローチャートである。
【００９０】
第２実施形態に係る画像形成装置１００において、原稿読取部１１０により原稿載置台１１１に載置された原稿の出力方式を設定する場合は、図１０に示すように、まず、原稿を原稿載置台１１１に載置する（ステップＳ２０１）。そして原稿載置台１１１の原稿読取領域２１１０において原稿が読み取られる（ステップＳ２０３）。
【００９１】
そして、原稿読取部１１０において、原稿を読み取る領域に応じて読み取った画像に対して実行する処理を選択する（ステップＳ２０５）。
【００９２】
そして、原稿読取部１１０において、原稿がコピー専用領域２１１１で読み取られたか否かが判定される（ステップＳ２０７）。ステップＳ２０７において、原稿がコピー専用領域２１１１で読み取られたと判定された場合は、処理選択部１９０によりコピー処理が選択されて、コピー処理が実行される（ステップＳ２０９）。
【００９３】
一方、ステップＳ２０７において、原稿がコピー専用領域２１１１で読み取られていないと判定された場合は、ステップＳ２１１に進み、原稿が送信専用領域２１１２で読み取られたか否かが判定される（ステップＳ２１１）。
【００９４】
ステップＳ２１１において、原稿が送信専用領域２１１２で読み取られたと判定された場合は、処理選択部１９０により画像を送信する処理が選択されて、画像送信処理が実行される（ステップＳ２１３）。一方、ステップＳ２１１において、原稿が送信専用領域２１１２で読み取られていないと判定された場合は、ステップＳ２０１に戻り、原稿を載置し直す。このようにして、原稿の読取処理が行われる。
【００９５】
以上のように構成したので、第２実施形態によれば、画像形成装置１００において、処理選択部１９０の機能として、原稿読取部における原稿の読み取る領域に応じて、当該原稿の出力方式を選択するようにしたので、ユーザは、所望する処理を行う画像読取領域に原稿を載置するだけで、コピー処理か画像送信処理かを実行することができる。
【００９６】
（第３実施形態）
次に、第３実施形態について図面を参照して説明する。
第３実施形態は、第１実施形態に係る画像形成装置１００における処理選択部の機能として、原稿を読み取る方式に応じて、当該原稿の出力方式を設定することを特徴とするものである。
【００９７】
なお、説明の便宜上、第１実施形態と同一の機能を有する構成には、同一の番号を付して説明を省略する。
【００９８】
画像形成装置１００は、原稿を読み取る方式として、原稿載置台１１１を用いて１枚毎に原稿を読み取る方式と、自動原稿給紙装置１１２を用いて自動的に複数枚の原稿を読み取る方式とが実行可能である。
【００９９】
処理選択部１９０は、原稿載置台１１１を用いた原稿を読み取る方式の場合は、読み取った画像のコピー処理が行われる。また、処理選択部１９０は、自動原稿給紙装置１１２を用いた原稿を読み取る方式の場合は、読み取った画像を保存する処理が行われる。
【０１００】
なお、原稿を読み取る方式に応じて実行される出力方式は、どちらの原稿を読み取り方式をどの出力方式（例えば、コピー処理、送信処理、保存する処理、ファクス処理等）を実行するようにするかは適宜設定・変更が可能である。
【０１０１】
（原稿の読み取り処理）
次に、第３実施形態の画像形成装置１００おいて原稿読取部１１０における原稿を読み取る方式に応じて出力方式を設定する処理についてフローチャートに沿って説明する。
図１１は第３実施形態に係る画像形成装置において読み取り方式に応じて出力方式を設定する処理の一例を示すフローチャートである。
【０１０２】
第３実施形態に係る画像形成装置１００において、原稿読取部１１０により原稿の読み取りを行う場合は、図１１に示すように、まず、原稿を読み取る方式を選択する（ステップＳ３０１）。そして、原稿を読み取る方式が原稿載置台１１１で原稿を読み取る方式であるか否かが判定される（ステップＳ３０３）。
【０１０３】
ステップＳ３０３において、原稿を読み取る方式が原稿載置台１１１で原稿を読み取る方式であると判定された場合は、画像に対してコピー処理を実行する（ステップＳ３０５）。
【０１０４】
一方、ステップＳ３０３において、原稿を読み取る方式が原稿載置台１１１で原稿を読み取る方式ではないと判定された場合は、原稿を読み取る方式が自動原稿給紙装置１１２により原稿を読み取る方式であるか否かが判定される（ステップＳ３０７）。
【０１０５】
ステップＳ３０７において、原稿を読み取る方式が自動原稿給紙装置１１２により原稿を読み取る方式であると判定された場合は、画像を保存する処理を実行する（ステップＳ３０９）。
【０１０６】
一方、ステップＳ３０７において、原稿を読み取る方式が自動原稿給紙装置１１２により原稿を読み取る方式ではないと判定された場合は、ステップＳ３０１に戻り、再度原稿を読み取る方式を選択する。このようにして、原稿の読み取り処理が行われる。
【０１０７】
以上のように構成したので、第３実施形態によれば、画像形成装置１００において、処理選択部１９０の機能として、原稿を読み取る方式に応じて、当該原稿の出力方式を設定するようにしたので、ユーザは、原稿を読み取る方式を選択するだけで、画像に対する所望する処理を実行することができる。
【０１０８】
以上のように、本発明は、上述した実施形態に限定されるものではなく、請求項に示した範囲で種々の変更が可能である。当業者であれば、特許請求の範囲に記載された範疇内において、各種の変更例または修正例に想到し得ることは明らかであり、すなわち、本発明の要旨を逸脱しない範囲内において適宜変更した技術的手段を組み合わせて得られる実施形態についても本発明の技術的範囲に含まれる。
【符号の説明】
【０１０９】
１００  画像形成装置
１１０  原稿読取部
１１１  原稿載置台
１１１Ａ１  第１の画像
１１１Ａ２  第２の画像
１１１Ｂ１  第１の画像
１１１Ｂ２  第２の画像
１１２  自動原稿給紙装置
１５０  記憶部
１６０  通信部
１７０  画像形成部
１８０  制御部
１９０  処理選択部
１１１０，１１２０，１１３０，１１４０，２１１０  原稿読取領域
１１１０ａ  自動給紙読取領域
１１１１，１１２１，１１３１，１１４１  第１原稿読取領域
１１１２，１１２２，１１３２，１１４２  第２原稿読取領域
１１１３，１１２３，１１３３，１１４３  第３原稿読取領域
１１１４，１１２４，１１３４，１１４４  第４原稿読取領域
２１１１  コピー専用領域
２１１２  送信専用領域
【図１】
2020065193.tif 000003
【図２】
2020065193.tif 000004
【図３】
2020065193.tif 000005
【図４】
2020065193.tif 000006
【図５】
2020065193.tif 000007
【図６】
2020065193.tif 000008
【図７】
2020065193.tif 000009
【図８】
2020065193.tif 000010
【図９】
2020065193.tif 000011
【図１０】
2020065193.tif 000012
【図１１】
2020065193.tif 000013